【手続補正書】
【提出日】平成20年7月31日(2008.7.31)
【手続補正１】
【補正対象書類名】明細書
【補正対象項目名】特許請求の範囲
【補正方法】変更
【補正の内容】
【特許請求の範囲】
【請求項１】
被験者の生体検査及び／または検体検査のための測定を測定装置により行い、測定データを得る測定ステップと、
前記測定データを、前記測定装置から分析データ提供装置にネットワークを介して送信する第１送信ステップと、
前記測定データを前記分析データ提供装置が受信する第１受信ステップと、
前記測定データの分析を前記分析データ提供装置が行い、分析データを得る分析ステップと、
前記分析ステップで得られた分析データを、前記測定装置または前記分析データを出力する出力装置に、前記分析データ提供装置から前記ネットワークを介して送信する第２送信ステップと、
前記測定装置または前記出力装置が前記分析データを受信する第２受信ステップと、
前記出力装置が前記分析データを出力する出力ステップと、
を含む分析データ提供方法。
【請求項２】
前記第１送信ステップは、前記測定装置または前記出力装置の通信アドレスを前記測定データと対応付けて送信するステップを含む、請求項１に記載の分析データ提供方法。
【請求項３】
被験者の生体検査及び／または検体検査のための測定を行い測定データを得る測定装置に、ネットワークを介して接続するための接続手段と、
前記接続手段を介し、前記測定データを前記測定装置から受信する受信手段と、
前記測定データの分析を行い、分析データを得る分析手段と、
前記分析データを、前記測定装置または前記分析データを出力する出力装置に、前記接続手段を介して送信する送信手段と、
を備える分析データ提供装置。
【請求項４】
前記受信手段は、前記測定装置または前記出力装置の通信アドレスを、前記測定データと対応付けてさらに受信する、請求項３に記載の分析データ提供装置。
【請求項５】
前記受信手段は、前記測定データと対応付けられた前記被験者の識別情報及び検査項目をさらに受信し、
前記送信手段は、前記被験者の識別情報と検査項目とを、前記分析データに対応付けてさらに送信する、
請求項３に記載の分析データ提供装置。
【請求項６】前記受信手段は、前記測定データと対応付けられた、かつ前記測定装置の種別を特定する装置識別情報をさらに受信し、
前記分析手段は、前記測定装置の種別毎に前記測定データの分析方法を記憶する記憶手段と、
前記装置識別情報に基づいて前記測定装置の種別を判断する判断手段と、
前記測定装置の種別に対応する分析方法を、前記記憶している分析方法の中から選択し、前記測定データの分析に適用する選択手段と、
を含む、請求項３に記載の分析データ提供装置。
【請求項７】
前記請求項３に係る分析データ提供装置の管理者と前記測定装置の管理者との間で交わされた測定データの分析に関する契約内容と、前記測定装置の管理者が前記分析データ提供装置を利用した利用実績とを記憶する実績記憶手段と、
前記契約内容と前記利用実績に基づいて、前記測定装置の管理者への請求額を決定する決定手段と、
をさらに備える、請求項３に記載の分析データ提供装置。
【請求項８】
前記請求項３に記載の分析データ提供装置としてコンピュータを機能させるための分析データ提供プログラムであって、
被験者の生体検査及び／または検体検査のための測定を行い測定データを得る測定装置に、ネットワークを介して接続するための接続手段、
前記測定データを、前記ネットワークを介して前記測定装置から受信する受信手段、
前記測定データの分析を行い、分析データを得る分析手段、及び
前記分析データを、前記測定装置または前記分析データを出力する出力装置に、前記ネットワークを介して送信する送信手段、
として前記コンピュータを機能させる分析データ提供プログラム。
【請求項９】
被験者の生体検査及び／または検体検査のための測定を行い、測定データを得る測定手段と、
前記測定データを分析して分析データを得る分析データ提供装置に、ネットワークを介して接続するための第１接続手段と、
前記測定データを、前記第１接続手段を介して前記分析データ提供装置に送信する第１送信手段と、
を備える測定装置。
【請求項１０】
前記第１送信手段は、前記測定装置または前記分析データを出力する出力装置の通信アドレスを、前記測定データと対応付けてさらに送信する、請求項９に記載の測定装置。
【請求項１１】
前記第１送信手段は、前記被験者の識別情報と検査項目とを、前記測定データと対応付けてさらに送信する、請求項９に記載の測定装置。
【請求項１２】
前記第１送信手段は、前記測定装置の種別を示す装置識別情報を、前記測定データと対応付けてさらに送信する、請求項９に記載の測定装置。
【請求項１３】
前記測定データを分析して得られる分析データを出力するための出力装置に接続するための第２接続手段と、
前記分析データ提供装置が前記測定データを分析して得た分析データを、前記分析データ提供装置から受信する受信手段と、
受信した前記分析データを、前記出力装置に前記第２接続手段を介して送信する第２送信手段とをさらに備え、
前記第１送信手段は、前記測定データと共に、前記分析データの送信先として前記測定装置自身の通信アドレスを送信する、請求項９に記載の測定装置。
【請求項１４】
前記分析データを出力する出力手段をさらに備えた請求項９に記載の測定装置。
【請求項１５】
前記請求項９に記載の測定装置としてコンピュータを機能させる測定プログラムであって、
被験者の生体検査及び／または検体検査のための測定を行い、測定データを得る測定手段、
前記測定データを分析する分析データ提供装置に、ネットワークを介して接続するための第１接続手段、及び
前記測定データを、前記第１接続手段を介して前記分析データ提供装置に送信する第１送信手段、
として前記コンピュータを機能させる測定プログラム。
【請求項１６】
被験者の生体検査及び／または検体検査の結果を出力する出力装置であって、
前記被験者の生体検査及び／または検体検査のための測定を行い測定データを得る測定装置または前記測定データを分析して分析データを得る分析データ提供装置に接続するための接続手段と、
前記分析データを、前記分析データ提供装置または前記測定装置から前記接続手段を介して受信する受信手段と、
前記分析データを出力する出力手段と、
を備える出力装置。
【請求項１７】
前記受信手段は、前記分析データに関連づけられた前記被験者の識別情報及び検査項目をさらに受信し、
前記出力手段は、前記被験者の識別情報及び前記検査項目を、前記分析データと対応付けてさらに出力する、
請求項１６に記載の出力装置。
【請求項１８】
被験者の生体検査及び／または検体検査の結果を出力する出力装置としてコンピュータを機能させる出力プログラムであって、
前記被験者の生体検査及び／または検体検査のための測定を行い測定データを得る測定装置または前記測定データを分析して分析データを得る分析データ提供装置に接続するための接続手段、
前記分析データを、前記分析データ提供装置または前記測定装置から前記接続手段を介して受信する受信手段、及び
前記分析データを出力する出力手段、
として前記コンピュータを機能させる出力プログラム。
【手続補正２】
【補正対象書類名】明細書
【補正対象項目名】００１０
【補正方法】変更
【補正の内容】
【００１０】
【課題を解決するための手段】前記課題を解決するために、本願第１発明は、下記Ａ〜Ｇのステップをを含む分析データ提供方法を提供する。
Ａ：被験者の生体検査及び／または検体検査のための測定を測定装置により行い、測定データを得る測定ステップ、
Ｂ：前記測定データを、前記測定装置から分析データ提供装置にネットワークを介して送信する第１送信ステップ、
Ｃ：前記測定データを前記分析データ提供装置が受信する第１受信ステップ、
Ｄ：前記測定データの分析を前記分析データ提供装置が行い、分析データを得る分析ステップ、
Ｅ：前記分析ステップで得られた分析データを、前記測定装置または前記分析データを出力する出力装置に、前記分析データ提供装置から前記ネットワークを介して送信する第２送信ステップ、
Ｆ：前記測定装置または前記出力装置が前記分析データを受信する第２受信ステップ、
Ｇ：前記出力装置が前記分析データを出力する出力ステップ。
【手続補正３】
【補正対象書類名】明細書
【補正対象項目名】００２８
【補正方法】変更
【補正の内容】
【００２８】
この発明は、前記第３発明と同様の作用効果を奏する。本願第９発明は、下記Ａ〜Ｃ手段を備える測定装置を提供する。
Ａ：被験者の生体検査及び／または検体検査のための測定を行い、測定データを得る測定手段、
Ｂ：前記測定データを分析して分析データを得る分析データ提供装置に、ネットワークを介して接続するための第１接続手段、
Ｃ：前記測定データを、前記第１接続手段を介して前記分析データ提供装置に送信する第１送信手段。
【手続補正４】
【補正対象書類名】明細書
【補正対象項目名】００３２
【補正方法】変更
【補正の内容】
【００３２】
本願第１３発明は、前記第９発明において、下記Ｄ〜Ｆ手段をさらに備え、かつ前記第１送信手段が、前記測定データと共に、前記分析データの送信先として前記測定装置自身の通信アドレスを送信する測定装置を提供する。
Ｄ：前記測定データを分析して得られる分析データを出力するための出力装置に接続するための第２接続手段、
Ｅ：前記分析データ提供装置が前記測定データを分析して得た分析データを、前記分析データ提供装置から受信する受信手段、
Ｆ：受信した前記分析データを、前記出力装置に前記第２接続手段を介して送信する第２送信手段。
【手続補正５】
【補正対象書類名】明細書
【補正対象項目名】００３４
【補正方法】変更
【補正の内容】
【００３４】
この発明は、前記システムにおける測定装置が出力装置と一体になった構成に相当する。本願第１５発明は、前記第９発明の測定装置としてコンピュータを機能させる測定プログラムを提供する。このプログラムは、下記Ａ〜Ｃ手段として前記コンピュータを機能させる。
Ａ：被験者の生体検査及び／または検体検査のための測定を行い、測定データを得る測定手段、
Ｂ：前記測定データを分析する分析データ提供装置に第１ネットワークを介して接続するための第１接続手段、
Ｃ：前記測定データを、前記第１接続手段を介して前記分析データ提供装置に送信する第１送信手段。
【手続補正６】
【補正対象書類名】明細書
【補正対象項目名】００３５
【補正方法】変更
【補正の内容】
【００３５】
この発明は、前記第９発明と同様の作用効果を奏する。本願第１６発明は、被験者の生体検査及び／または検体検査の結果を出力する出力装置を提供する。この出力装置は、下記Ａ〜Ｃ手段を有している。
Ａ：前記被験者の生体検査及び／または検体検査のための測定を行い測定データを得る測定装置または前記測定データを分析して分析データを得る分析データ提供装置に接続するための接続手段、
Ｂ：前記分析データを、前記分析データ提供装置または前記測定装置から前記接続手段を介して受信する受信手段、
Ｃ：前記分析データを出力する出力手段。
【手続補正７】
【補正対象書類名】明細書
【補正対象項目名】００３８
【補正方法】変更
【補正の内容】
【００３８】
この装置を用いれば、ユーザは、何の検査項目についての誰の分析結果であるかを容易に認識可能となる。本願第１８発明は、被験者の生体検査及び／または検体検査の結果を出力する出力装置としてコンピュータを機能させる出力プログラムを提供する。この出力プログラムは、下記Ａ〜Ｃ手段として前記コンピュータを機能させる。
Ａ：前記被験者の生体検査及び／または検体検査のための測定を行い測定データを得る測定装置または前記測定データを分析して分析データを得る分析データ提供装置に接続するための接続手段、
Ｂ：前記分析データを、前記分析データ提供装置または前記測定装置から前記接続手段を介して受信する受信手段、
Ｃ：前記分析データを出力する出力手段。